(57)【特許請求の範囲】
【請求項１】
一端部の下面に可動接点を備えるとともに他端部に軸ピンを挿通した可動接触子と、可動接触子の軸ピンを下方から挿入して可動接触子を回動自在に支持するクロスバーと、可動接触子の前記他端部を軸ピンの軸方向の両側から挟む形で可動接触子の前記他端部に摺接する挟持片を有し可動接触子を回動自在に支持する接続導体とを備え、前記挟持片には上方に開放され軸ピンを受ける切欠部が形成されて成ることを特徴とする回路遮断器の可動接触子装置。
【請求項２】
前記クロスバーと各挟持片との間に軸ピンが挿通される圧縮ばねを配設したことを特徴とする請求項１記載の回路遮断器の可動接触子装置。
【請求項３】
前記圧縮ばねが前記クロスバーと前記可動接触子との間に納装して可動接触子を軸ピンの回りで一方側に付勢するねじりコイルばねであることを特徴とする請求項２記載の回路遮断器の可動接触子装置。
【請求項４】
前記ねじりコイルばねが、前記クロスバーと各挟持片との間にそれぞれ配設され一端部がクロスバーに固定されるとともに軸ピンが挿通されて圧縮ばねとなる一対のコイル部と、両コイル部の他端部間を一体に連結し前記可動接触子に弾接して可動接触子を閉極方向に付勢する連結片とからなることを特徴とする請求項３記載の回路遮断器の可動接触子装置。
【発明の詳細な説明】
【０００１】
【発明の属する技術分野】
本発明は、配線用遮断器や漏電遮断器等の回路遮断器に用いられ、可動接触子を接続導体に対して軸ピンにより回動自在に支持させた回路遮断器の可動接触子装置に関するものである。
【０００２】
【従来の技術】
一般に回路遮断器の可動接触子と器体内の他の部材との電気的接続には編組線のような可撓導体が用いられてきた。しかしながら、可撓導体は可動接触子の開閉動作に伴って曲がり方が変化するから、開閉動作の繰り返しによって疲労して断線する可能性があり、また可撓動作の曲がり方によって可動接触子が受ける力が変化し回路遮断器の開閉特性にばらつきが生じる可能性がある。
【０００３】
そこで、可動接触子を接続導体に対して回動自在に摺接させるようにした可動接触子装置が特開平４−１９９３８号公報や特開平７−６６８１号公報などにおいて提案されている。このような構成の可動接触子装置を用いると、可撓導体を用いることなく可動接触子を接続導体に電気的に接続することができる。すなわち、接続導体に設けた一対の挟持片の間に可動接触子を挟み、接続導体の挟持片に設けた透孔と可動接触子とを通して軸ピンを挿通し、クロスバーと各挟持片との間で圧縮ばねに軸ピンを挿通した構成を有している。つまり、圧縮ばねのばね力を用いて挟持片を可動接触子に圧接させ、可動接触子と接続導体とを電気的に接続しているのである。
【０００４】
【発明が解決しようとする課題】
しかしながら、上述した構成では、軸ピンを挟持片と可動接触子とに挿通することが必要であるから、組立時には可動接触子を接続導体に対して位置決めした状態で軸ピンを接続導体と可動接触子とに同時に挿通しなければならず、組立作業が面倒であるという問題を有している。
【０００５】
本発明は上記事由に鑑みて為されたものであり、その目的は、可動接触子を接続導体に結合する際に、可動接触子に軸ピンを挿通した後に接続導体に軸ピンを支持させることを可能にして可動接触子を接続導体に取り付ける作業を従来よりも容易にした回路遮断器の可動接触子装置を提供することにある。
【０００６】
【課題を解決するための手段】
請求項１の発明は、一端部の下面に可動接点を備えるとともに他端部に軸ピンを挿通した可動接触子と、可動接触子の軸ピンを下方から挿入して可動接触子を回動自在に支持するクロスバーと、可動接触子の前記他端部を軸ピンの軸方向の両側から挟む形で可動接触子の前記他端部に摺接する挟持片を有し可動接触子を回動自在に支持する接続導体とを備え、前記挟持片には上方に開放され軸ピンを受ける切欠部が形成されたものである。この構成によれば、接続導体の挟持片に切欠部を形成して、可動接触子に挿通した軸ピンを切欠部によって受けるので、可動接触子を軸ピンによってクロスバーに保持させた状態で可動接触子を接続導体に接続することが可能になり、接続導体と可動接触子とに同時に軸ピンを挿通する場合のような位置合わせが不要であって、組立作業における作業性がよい。また、可動接触子をクロスバーに取り付けてブロック化して扱うことによって、接続導体に対してブロックを取り付けるだけで可動接触子を接続導体に接続することができる。
【０００７】
請求項２の発明は、請求項１の発明において、前記クロスバーと各挟持片との間に軸ピンが挿通される圧縮ばねを配設したものである。この構成によれば、圧縮ばねのばね力を用いて挟持片を可動接触子に接触させているから、可動接触子と挟持片との接触状態がより良好になる。また、圧縮ばねに軸ピンを挿通した状態で可動接触子とクロスバーとの間に納装しておけば、接続導体の両挟持片を可動接触子と圧縮ばねとの間にはめ込むだけの簡単な作業で、接続導体の挟持片を可動接触子に圧接させることができる。
【０００８】
請求項３の発明は、請求項２の発明において、前記圧縮ばねを前記クロスバーと前記可動接触子との間に納装して可動接触子を軸ピンの回りで一方側に付勢するねじりコイルばねとしたものである。この構成によれば、接続導体の両挟持片を可動接触子に接触させる圧縮ばねによって可動接触子を軸ピンの回りで一方側に付勢することで可動接点の接触圧を得ることができ、１つの部品で２つの機能を得ることができる。つまり、挟持片を可動接触子に接触させる機能と可動接触子に接触圧を付与する機能とを１つの部品で実現するから部品数の低減につながる。
【０００９】
請求項４の発明は、請求項３の発明において、前記ねじりコイルばねが、前記クロスバーと各挟持片との間にそれぞれ配設され一端部がクロスバーに固定されるとともに軸ピンが挿通されて圧縮ばねとなる一対のコイル部と、両コイル部の他端部間を一体に連結し前記可動接触子に弾接して可動接触子を閉極方向に付勢する連結片とからなるものである。この構成では、圧縮ばねとなる一対のコイル部間を連結片で一体に連結することによって、コイル部がねじりコイルばねとしても機能し、省スペースで２つの機能を実現することができる。また、１部品の圧縮コイルばねで２つの挟持片を可動接触子に接触させる機能と可動接触子に接触圧を付与する機能とを持たせているから省部品になる。
【００１０】
【発明の実施の形態】
本実施形態では、３極の回路遮断器に用いる可動接触子装置について説明する。ただし、図１ないし図３では可動接触子装置は１極分のみを示している。可動接触子１の長手方向の一端部の下面には可動接点２が設けられ、長手方向の他端部には左右に軸ピン３が挿通されるピン孔１ａが形成される。可動接触子１の長手方向における上記他端部は合成樹脂成形品であるクロスバー４に貫設した保持窓４ａに挿入される。クロスバー４は回路遮断器の器体１０（図４参照）内において３極に跨って配置され、器体１０に対して回動自在に保持される。つまり、図２に示すように、器体１０に固定された電源側端子板１１に設けられている固定接点７に可動接点２が接触する閉極状態と、固定接点７から可動接点２が離れる開極状態とが選択可能となるように、図２の面に直交する方向の軸回りでクロスバー４が回動可能になっている。上述したように、クロスバー４は３極に跨って配置されており、したがってクロスバー４には３個の保持孔４ａが形成され、３本の可動接触子１が１つのクロスバー４に保持されるのであって、１極の可動接触子１が開閉するとクロスバー４を介して他極の可動接触子１も連動して開閉するようになっている。
【００１１】
クロスバー４に形成した保持孔４ａの両内側面には軸ピン３を受ける軸受溝４ｂが形成される。軸受溝４ｂは保持孔４ａの内側面において互いに対向する面に開放されているとともに、図１における下端も開放されている。したがって、可動接触子１を保持孔４ａに挿入して、軸ピン３を軸受溝４ｂに図１の下方から挿入すれば、クロスバー４に可動接触子１が保持される。
【００１２】
保持孔４ａの両内側面の間にはねじりコイルばね５が配設される。ねじりコイルばね５は、可動接触子１の左右にそれぞれ配設され軸ピン３の各端部が挿通される一対のコイル部５ａと、両コイル部５ａの互いに近い一端部間を一体に連結する略コ字形の連結片５ｂと、各コイル部５ａの他端部からそれぞれ延設された係止片５ｃとを備える形状に形成されている。コイル部５ａはねじりコイルばねとしての機能に加えて圧縮ばねとしても機能する。すなわち、各コイル部５ａは保持孔４ａの各内側面と可動接触子１との間にそれぞれ配設されるから可動接触子１を保持孔４ａの左右の中央付近に位置させるように付勢し、また連結片５ｂが可動接触子１の上面に当接するとともに係止片５ｃがクロスバー４の保持孔４ａの下端縁に当接することによって、可動接触子１を軸ピン３の回りにおける一方向に付勢する。ここに、可動接触子１は軸ピン３の回りで図２における左回りに付勢される。
【００１３】
上述のように軸ピン３を挿通した可動接触子１およびねじりコイルばね５をクロスバー４に取り付けると、可動接触子１はねじりコイルばね５によってクロスバー４に仮保持されてブロック化されることになる。つまり、１つの部品（ブロック）として扱うことが可能になり、組立時の扱いが容易になる。
【００１４】
ところで、回路遮断器では可動接触子１は一般に電流検出器などを介して負荷側の端子に接続される。電流検出器は電源側の端子と負荷側の端子との間に流れる電流が定格電流に対して異常な電流になったことを検出するものであり、回路遮断器の構成によって過電流、短絡電流、地絡電流などを検出するように構成されている。可動接触子１を電流検出器などと接続するために、本発明では可動接触子１において軸ピン３が挿通されている端部を挟持する一対の挟持片６ａ備えた接続導体６を備える。各挟持片６ａには上方に開放された切欠部６ｂがそれぞれ形成され、切欠部６ｂは幅を軸ピン３の直径程度に形成して軸ピン３を受けることができるように形成されている。また、切欠部６ｂに軸ピン３を挿入した状態で各挟持片６ａは可動接触子１の左右各面に当接する。ここで、ねじりコイルばね５のコイル部５ａは保持孔４ａの内側面と挟持片６ａとの間に介装される。つまり、クロスバー４に可動接触子１およびねじりコイルばね５が保持されている状態で、両挟持片６ａの間に可動接触子１を挿入すれば、各挟持片６ａが可動接触子１と各コイル部５ａとの間に挿入されるようになっている。
【００１５】
接続導体６の下部には上方に開放された断面コ字形の取付部６ｃが形成され、取付部６ｃの開口縁から内向きに延長された連絡片６ｄの先端縁にそれぞれ挟持片６ａが連続する。取付部６ｃは取付ねじ１２（図４参照）を用いて器体１０に固定される。また、取付部６ｃには接続片６ｅが延設され、接続片６ｅが電流検出器などに接続される。
【００１６】
しかして、挟持片６ａがコイル部５ａによりばね付勢されて可動接触子１に圧接することによって、可動接触子１と挟持片６ａとの接触状態を安定させることができ、可動接触子１が接続導体６に対して回動する間に可動接触子１を挟持片６ａに電気的に良好な接触状態で摺接させることができる。
【００１７】
上述した構成の可動接触子装置を用いた回路遮断器の一例を図４に示す。図に示すように、上述した可動接触子装置は合成樹脂成型品の器体１０に収納される。また、クロスバー４の下端部にはリンク１３に設けた軸１３ａが軸着され、クロスバー４がリンク１３を介してハンドル１４およびトリップ機構１５に結合される。ハンドル１４は器体１０の上面から起伏自在に突出し、ハンドル１４を起伏させることによって、可動接点２を固定接点７に接触させた閉極状態（図４の状態）と可動接点２を固定接点７から離した開極状態とを選択できるようになっている。トリップ機構１５について簡単に説明すると、トリップ機構１５は、閉極状態においては開閉ばね１５ａにより可動接点２を固定接点７に接触させる向きのばね力を作用させ、電流検出器によって異常電流が検出されたときにはラッチリンク１５ｂとクレドル１５ｃとのラッチ状態を解除し開閉ばね１５ａのばね力を利用してリンク１３を引き上げることによって可動接点２を固定接点７から急速に引き離すように構成されたものである。異常電流によってトリップ機構１５が動作した後には、ハンドル１５を一旦反対側に倒してラッチリンク１５ｂとクレドル１５ｃとを再び係合させた後に元に戻すと閉極状態に復帰させることができる。ここに、閉極状態においては、可動接触子１はクロスバー４の保持孔４ａの下面から離れ、ねじりコイルばね５のばね力によって可動接点２を固定接点７に接触させることになる。つまり、ねじりコイルばね５により接触圧を付与することができる。
【００１８】
【発明の効果】
請求項１の発明は、一端部の下面に可動接点を備えるとともに他端部に軸ピンを挿通した可動接触子と、可動接触子の軸ピンを下方から挿入して可動接触子を回動自在に支持するクロスバーと、可動接触子の他端部を軸ピンの軸方向の両側から挟む形で可動接触子の他端部に摺接する挟持片を有し可動接触子を回動自在に支持する接続導体とを備え、挟持片には上方に開放され軸ピンを受ける切欠部が形成されたものであり、接続導体の挟持片に切欠部を形成して、可動接触子に挿通した軸ピンを切欠部によって受けるので、可動接触子を軸ピンによってクロスバーに保持させた状態で可動接触子を接続導体に接続することが可能になり、接続導体と可動接触子とに同時に軸ピンを挿通する場合のような位置合わせが不要であって、組立作業における作業性がよい。また、可動接触子をクロスバーに取り付けてブロック化して扱うことによって、接続導体に対してブロックを取り付けるだけで可動接触子を接続導体に接続することができるという利点がある。
【００１９】
請求項２の発明は、請求項１の発明において、クロスバーと各挟持片との間に軸ピンが挿通される圧縮ばねを配設したものであり、圧縮ばねのばね力を用いて挟持片を可動接触子に接触させているから、可動接触子と挟持片との接触状態がより良好になるという利点があり、また、圧縮ばねに軸ピンを挿通した状態で可動接触子とクロスバーとの間に納装しておけば、接続導体の両挟持片を可動接触子と圧縮ばねとの間にはめ込むだけの簡単な作業で、接続導体の挟持片を可動接触子に圧接させることができるという利点がある。
【００２０】
請求項３の発明は、請求項２の発明において、圧縮ばねをクロスバーと可動接触子との間に納装して可動接触子を軸ピンの回りで一方側に付勢するねじりコイルばねとしたものであり、接続導体の両挟持片を可動接触子に接触させる圧縮ばねによって可動接触子を軸ピンの回りで一方側に付勢することで可動接点の接触圧を得ることができ、１つの部品で２つの機能を得ることができる。つまり、挟持片を可動接触子に接触させる機能と可動接触子に接触圧を付与する機能とを１つの部品で実現するから部品数の低減につながるという利点がある。
【００２１】
請求項４の発明は、請求項３の発明において、ねじりコイルばねが、クロスバーと各挟持片との間にそれぞれ配設され一端部がクロスバーに固定されるとともに軸ピンが挿通されて圧縮ばねとなる一対のコイル部と、両コイル部の他端部間を一体に連結し可動接触子に弾接して可動接触子を閉極方向に付勢する連結片とからなるものであり、圧縮ばねとなる一対のコイル部間を連結片で一体に連結することによって、コイル部がねじりコイルばねとしても機能し、省スペースで２つの機能を実現することができる。また、１部品の圧縮コイルばねで２つの挟持片を可動接触子に接触させる機能と可動接触子に接触圧を付与する機能とを持たせているから省部品になるという利点がある。
【図面の簡単な説明】
【図１】本発明の実施の形態を示す分解斜視図である。
【図２】同上の縦断面図である。
【図３】同上の横断面図である。
【図４】同上を用いた回路遮断器の一部切欠した側面図である。
【符号の説明】
１  可動接触子
２  可動接点
３  軸ピン
４  クロスバー
５  ねじりコイルばね
５ａ  コイル部
５ｂ  連結片
６  接続導体
６ａ  挟持片
６ｂ  切欠部
【図１】
0003804352.tif 000002
【図２】
0003804352.tif 000003
【図３】
0003804352.tif 000004
【図４】
0003804352.tif 000005